(57)【要約】【課題】容易に操作でき、吸気ノズルを置くことのできる操作部を含むＦＰＣ用電気コネクタを提供する。【解決手段】本考案のＦＰＣ用電気コネクタは、ＦＰＣを収納する挿入スロットが形成される絶縁性の本体と、該絶縁性の本体に挿入される複数の導電端子と、絶縁性の本体に実装され、回転中心を囲む回転可能な操作子と、を備える。前記ＦＰＣは、前記操作子の動作部の動きによって、導電端子に接続する。操作子は、第１側に設けられる動作部と、第１側とは反対側の第２側に設けられる操作部と、を有し、該操作部が、操作子の前辺から、絶縁性の本体の幅の少なくとも半分の幅で、回転中心から離れる方向に向かって突出していることを特徴とするＦＰＣ用電気コネクタ。【選択図】図１
0003126614.tif 000002
【実用新案登録請求の範囲】
【請求項１】
ＦＰＣを収納する挿入スロットが形成される絶縁性の本体と、
該絶縁性の本体に挿入される複数の導電端子と、
絶縁性の本体に実装され、回転中心を囲む回転可能な操作子と、
を備え、該操作子は、第１側に設けられる動作部と、第１側とは反対側の第２側に設けられる操作部と、を有するＦＰＣ用電気コネクタにおいて、
前記ＦＰＣは、前記操作子の動作部の動きによって、導電端子に接続し、前記操作部は、回転中心から離れる方向に向かって延在することを特徴とするＦＰＣ用電気コネクタ。
【請求項２】
前記操作部は、操作子の第２側の一部分から、操作子の他部分に対して、回転中心から離れる方向に向かって突出すること特徴とする、請求項１に記載のＦＰＣ用電気コネクタ。
【請求項３】
前記操作部は、前記第２側全体から、回転中心から離れる方向に向かって突出すること特徴とする、請求項１に記載のＦＰＣ用電気コネクタ。
【請求項４】
前記操作子の操作部には、吸気ノズルを置くための場所が形成されることを特徴とする、請求項１に記載のＦＰＣ用電気コネクタ。
【請求項５】
前記操作子の操作部と、絶縁性の本体と導電端子との重心とは、それぞれ前記回転中心の両側に位置することを特徴とする、請求項４に記載のＦＰＣ用電気コネクタ。
【請求項６】
前記ＦＰＣ用電気コネクタは、絶縁性の本体に実装される一対の固定部を含み、操作子の両端には、固定部に組み合わされる一対の軸部が、設けられることを特徴とする、請求項１に記載のＦＰＣ用電気コネクタ。
【請求項７】
前記動作部は、互いに所定の距離を隔てられる複数のカム部を、含むことを特徴とする、請求項６に記載のＦＰＣ用電気コネクタ。
【請求項８】
前記絶縁性の本体には、前記挿入スロットと直角に延在する複数の嵌合溝が形成され、各嵌合溝は上溝と下溝を含むことを特徴とする、請求項７に記載のＦＰＣ用電気コネクタ。
【請求項９】
前記絶縁性の本体には、両側に一対の収納溝が形成される複数のＴ字状の支持部が設けられることを特徴とする、請求項８に記載のＦＰＣ用電気コネクタ。
【請求項１０】
前記各導電端子は、前記収納溝に収納される支持ビームと、前記下溝に嵌合される接触ビームと、を備えることを特徴とする、請求項９に記載のＦＰＣ用電気コネクタ。
【請求項１１】
前記操作子の各カム部には、前記導電端子の支持ビームと絶縁性の本体との間に嵌まる一対の係合部が設けられ、該係合部は、それぞれ絶縁性の本体の支持部と導電端子の支持ビームとに係合することを特徴とする、請求項１０に記載のＦＰＣ用電気コネクタ。
【請求項１２】
縦方向に沿って延在し、ＦＰＣを収納する挿入スロットが形成される絶縁性の本体と、
該絶縁性の本体に挿入され、縦方向に垂直な横方向に沿って延在する複数の導電端子と、
絶縁性の本体に実装され、回転中心を囲む回転可能な操作子と、
を備え、該操作子は、後端にくし状に配置される動作部と、前端に設けられる操作部と、を有するＦＰＣ用電気コネクタにおいて、
前記ＦＰＣは、前記操作子の動作部の動きによって、導電端子に接続し、前記操作部は、操作子の前辺から、絶縁性の本体の横方向の幅の少なくとも半分の幅で前向きに突出することを特徴とするＦＰＣ用電気コネクタ。
【請求項１３】
前記操作子が閉鎖状態になる時、前記操作子の操作部には、吸気ノズルを置くことができることを特徴とする、請求項１２に記載のＦＰＣ用電気コネクタ。
【請求項１４】
前記操作部は、操作子の前辺の中央から前向きに突出すること特徴とする、請求項１３に記載のＦＰＣ用電気コネクタ。
【請求項１５】
前記操作子の操作部は、横方向に沿う幅が、操作子の他部分の幅の二倍であること特徴とする、請求項１４に記載のＦＰＣ用電気コネクタ。
【請求項１６】
前記操作子が閉鎖状態になる時、前記操作子の操作部と操作子の他の部分とは、絶縁性の本体の前辺を越して前向きに突出すること特徴とする、請求項１５に記載のＦＰＣ用電気コネクタ。
【請求項１７】
前記操作子が閉鎖状態になる時、操作子の操作部は、一部分が絶縁性の本体に位置し、他の部分が絶縁性の本体の前辺を越して前向きに突出すること特徴とする、請求項１６に記載のＦＰＣ用電気コネクタ。
【考案の詳細な説明】
【技術分野】
【０００１】
本考案は、ＦＰＣ（Ｆｌｅｘｉｂｌｅ  Ｐｒｉｎｔｅｄ  Ｃｉｒｃｕｉｔ）及びＦＦＣ（Ｆｌｅｘｉｂｌｅ  Ｆｌａｔ  Ｃａｂｌｅ）等と一般に呼ばれている平板型可撓性ケーブル（この明細書では、これらを総称して単に「ＦＰＣ」という）を電気接続するために用いられるＦＰＣ用電気コネクタに関するものである。
【背景技術】
【０００２】
従来技術のＦＰＣ用電気コネクタとして、特許文献１に開示されたケーブル用コネクタが知られており、このケーブルを電気接続するケーブル用コネクタは、ケーブルの一面と対向する接触部と、ケーブルの反対面に対向する枢支部とを有するコンタクトと、ケーブルを接触部に圧接するための操作子と、を含む。操作子は、枢支部とケーブルとの間に位置するカム部と、枢支部が隙間をもって挿入された穴と、を有する。枢支部は、カム部に対応して凹部を有する。こうした操作子は、押圧される時、枢支部に対しカム部を中心として回転自在に係合されている。
【特許文献１】特開２０００−１０６２３８号公報
【考案の開示】
【考案が解決しようとする課題】
【０００３】
特許文献１に示すケーブル用電気コネクタは、操作子が開放状態から閉鎖状態まで押圧される時、操作子の押圧されなかった部分が閉鎖しない状態になる可能性がある。また、該コネクタが吸気ノズルで、ＰＣＢ（Ｐｒｉｎｔｅｄ  Ｃｉｒｃｕｉｔ  Ｂｏａｒｄ）に実装される時、操作子には吸気ノズルに対応する充分なスペースが形成されない。さらに、操作子が閉鎖状態から開放状態まで回転する時、この操作子を操作し難いという問題があった。
【０００４】
そこで本考案は、上述の従来技術の問題に鑑み、容易に操作でき、吸気ノズルを置くことのできる操作部を含むＦＰＣ用電気コネクタを提供することを目的とする。
【課題を解決するための手段】
【０００５】
本考案のＦＰＣ用電気コネクタは、ＦＰＣを収納する挿入スロットが形成される絶縁性の本体と、該絶縁性の本体に挿入される複数の導電端子と、絶縁性の本体に実装され、回転中心を囲む回転可能な操作子と、を備える。該操作子は、第１側に設けられる動作部と、第１側とは反対側の第２側に設けられる操作部と、を有する。該操作部は、回転中心から離れる方向に向かって延在している。前記ＦＰＣは、前記操作子の動作部の動きによって、導電端子に接続される。
【０００６】
また、本考案のＦＰＣ用電気コネクタは、縦方向に沿って延在し、ＦＰＣを収納する挿入スロットが形成された絶縁性の本体と、該絶縁性の本体に挿入され、縦方向に垂直な横方向に沿って延在する複数の導電端子と、絶縁性の本体に実装される回転可能な操作子と、を備える。該操作子は、後端にくし状に配置された動作部と、前端に設けられた操作部と、を含む。前記ＦＰＣは、前記操作子の動作部の動きによって、導電端子に接続する。前記操作部は、操作子の前辺から、絶縁性の本体の横方向の幅の少なくとも半分の幅で前向きに突出する。
【考案の効果】
【０００７】
従来の技術に比較して、本考案は以下の効果を有する。ＦＰＣ用電気コネクタの操作子には、絶縁性の本体の前辺から、回転中心から離れる方向に向かって突出する操作部が設けられる。これにより、該ＦＰＣ用電気コネクタが吸気ノズルでＰＣＢに実装される時、操作部の上表面には、吸気ノズルを置くのに充分な場所が提供される。又、操作子は、開放状態から閉鎖状態まで回転する過程で、押圧される操作部の動きによって、所定の位置に到達し易く、充分に閉鎖状態を達成できる。さらに、該ＦＰＣ用電気コネクタが閉鎖状態から閉鎖状態まで回転する過程で、操作部によって押圧板を上向きに持ちあげ易い。
【考案を実施するための最良の形態】
【０００８】
以下、この考案の実施の形態を添付の図を参照して説明する。
【０００９】
ＦＰＣ５を挟むＦＰＣ用電気コネクタ１００は、図１〜図５を参照すると、絶縁性の本体１と、絶縁性の本体１に挿入される複数の導電端子２と、絶縁性の本体１に実装される操作子３と、絶縁性の本体１に固着される一対の固定部４と、を有する。
【００１０】
絶縁性の本体１は、天板１１と、天板１１に対向する底板１２と、両側に設けられる一対の側壁１６と、を有する。天板１１と底板１２との間には、縦方向に沿って延在し、ＦＰＣ５を挿入できる挿入スロット１０が形成される。絶縁性の本体１には、挿入スロット１０と直角に延在する複数の嵌合溝１３が形成される。各嵌合溝１３は、天板１１に形成される上溝１３１と、底板１２に形成される下溝１３２と、を含む。該絶縁性の本体１には、複数のＴ字状の支持部１４と、複数の支持部１４と離隔して設けられる複数の突出部１５とが設けられる。前記上溝１３１は、各支持部１４と該支持部１４に隣接する突出部１５との間に形成される。各支持部１４は、Ｔ字状の端部（参照符号なし）と、両側に形成され、前記上溝１３１に対応する一対の収納溝１４０とを、含む。
【００１１】
図２及び図５に示すように、各導電端子２は、主体部２０と、主体部２０の上部から延在する支持ビーム２１と、主体部２０の下部から延在する接触ビーム２２と、主体部２０から横向に向かって突出する定位部２３と、を有する。前記支持ビーム２１と接触ビーム２２は、所定の距離を保って平行に延在している。
【００１２】
図２に示すように、操作子３は、基部３５と、基部３５の前辺の中央から前向きに突出する操作部３６と、基部３５の後端にくし状に配置される動作部（参照符号なし）と、を備える。該動作部は、互いに所定の距離で隔てられる複数のカム部３１を有する。各カム部３１には一対の係合部３２が両側に設けられている。基部３５の両端には、一対の軸部３３が設けられている。
【００１３】
図１乃至図４に示すように、該ＦＰＣ用電気コネクタ１００を取付ける時、複数の導電端子２は絶縁性の本体１に挿入される。各導電端子２は、支持ビーム２１が支持部１４の収納溝１４０に収納され、接触ビーム２２が嵌合溝１３の下溝１３２に嵌合し、定位部２３が絶縁性の本体１と係合する。支持ビーム２１と接触ビーム２２を収納する空間が、それぞれ上向き及び下向きに開口している。これにより、該コネクタ１００は薄型化される。一対の固定部４は、絶縁性の本体１の一対の側壁１６の内側に実装される。操作子３は絶縁性の本体１に取付けられる。操作子３の複数のカム部３１は、支持ビーム２１が挿入された各支持部１４の間に嵌合し、対応する突出部１５の前端に位置する。係合部３２は支持ビーム２１の下に嵌合され、支持ビーム２１と係合する。操作子３の軸部３３は固定部４に固定される。
【００１４】
図３において、一体に組み立てられたＦＰＣ用電気コネクタ１００は、吸気ノズル２００で、ＰＣＢ（図示せず）に組み合わせられる。操作子３の操作部３６の上表面には、吸気ノズル２００を設置する場所が形成されている。図３に示す力Ｆは、絶縁性の本体１と導電端子２の重力である。図３に示すモメントＭは、該力Ｆによって形成されるモメントである。且つ、該力Ｆの中心と前記操作子３の操作部３６は、それぞれカム３１の中心Ｐの両側に位置する。該コネクタ１００をＰＣＢに取付けている過程で、該モメントＭによって、操作子３はいつも閉鎖状態になっている。これにより、該ＦＰＣ用電気コネクタ１００がＰＣＢに容易に実装される。
【００１５】
使用に際しては、操作子３は、開放状態と閉鎖状態の間で回転可能である。操作子３が図１に示す開放状態において、ＦＰＣ５は、絶縁性の本体１の挿入スロット１０に挿入される。操作部３６が下向きに押圧されるのにともなって、操作子３は、カム３２の中心Ｐを回転中心として下向きに回転する。この過程で、支持部１４のＴ字状の端部の後に位置する係合部３２の前向きの動きが該端部に阻止される。操作子３が水平に位置する時、図４に示す閉鎖状態になる。操作部３６は絶縁性の本体１の前辺から前向きに突出する。該コネクタ１００に挿入されたＦＰＣ５は、前記動作部によって、接触ビーム２２に接触する。該ＦＰＣ５は、好ましくは操作部３６に付着する硬い端部４０を含む。該端部４０によって、ＦＰＣ５が操作部３６に破損されることを防止できるとともに、ＦＰＣ５が操作部３６の上向きの回転に伴って持ちあげられることを防止できる。
【００１６】
使用された後、操作部３６を上向きに持ちあげることによって、操作子３を中心Ｐを回転中心として上向きに回転させる。支持ビーム２１の下に位置する係合部３２は、上向きの動きを支持ビーム２１によって阻止される。操作子３が開放状態に回復した後、ＦＰＣ５を挿入スロット１０から外すことができる。
【００１７】
本実施形態では、該操作部３６が操作子３の前辺の中央から前向きに突出するように設けられている。別の実施形態では、操作部３６は操作子３の前辺全体から前向きに突出していても良い。
【００１８】
ＦＰＣ用電気コネクタ１００の操作子３には、絶縁性の本体１の前辺から回転中心Ｐから離れる方向に向かって突出する操作部３６が設けられている。これにより、以下の長所が生じる。第一に、該ＦＰＣ用電気コネクタ１００が吸気ノズル２００でＰＣＢに実装される時、操作部３６の上表面には、吸気ノズル２００を置くのに充分な場所が提供される。第二に、操作子３は、開放状態から閉鎖状態まで回転する過程で、押圧される操作部３６の動きによって所定の位置に到達し易く、充分に閉鎖状態を達成できる。第三に、該ＦＰＣ用電気コネクタ１００が閉鎖状態から閉鎖状態まで回転する過程で、操作部３６によって、押圧板３を上向きに持ちあげ易い。
【００１９】
以上、本考案について最良の実施形態を参照して詳細に説明したが、実施形態はあくまでも例示的なものであり、これらに限定されるものではない。また前記の説明及び本考案に基づきなし得る細部の修正、或いは変更などは、いずれも本考案の実用新案登録請求の範囲に属するものである。
【図面の簡単な説明】
【００２０】
【図１】操作子が開放状態にある時のＦＰＣ用電気コネクタの組み立て斜視図である。
【図２】図１に示すＦＰＣ用電気コネクタの分解斜視図である。
【図３】操作子が閉鎖状態にあり、ＦＰＣを挿入しないＦＰＣ用電気コネクタのＩＩＩ−ＩＩＩ線断面図である。
【図４】操作子が閉鎖状態にあり、ＦＰＣが挿入されたＦＰＣ用電気コネクタのＩＩＩ−ＩＩＩ線断面図である。
【図５】導電端子が挿入された絶縁性の本体の部分拡大図である。
【符号の説明】
【００２１】
１  絶縁性の本体
２  導電端子
３  操作子
４  固定部
５  ＦＰＣ
１０  挿入スロット
１１  天板
１２  底板
１３  嵌合溝
１４  支持部
１５  突出部
１６  側壁
２０  主体部
２１  支持ビーム
２２  接触ビーム
２３  定位部
３１  カム部
３２  係合部
３３  軸部
３５  基部
３６  操作部
４０  端部
１００  ＦＰＣ用電気コネクタ
１３１  上溝
１３２  下溝
１４０  収納溝
２００  吸気ノズル
【図１】
0003126614.tif 000003
【図２】
0003126614.tif 000004
【図３】
0003126614.tif 000005
【図４】
0003126614.tif 000006
【図５】
0003126614.tif 000007